(57)【特許請求の範囲】
【請求項１】
上下に分割可能な筐体を備え、
上段の筐体は、
音声情報を半導体記録媒体に記録するとともに、該半導体記録媒体に記録した音声情報を再生する第１音声再生手段と、
前記第１音声再生手段が再生した音声情報を出力する第１出力手段と、
前記第１音声再生手段に接続され、下段の筐体との間で実質的に電気的な接続がされる第１接続手段と、
前記第１音声再生手段、及び前記第１出力手段の駆動電力を供給すると共に、下段の筐体との界面に電力入力端子を備えた充電池と、
を収納し、
下段の筐体は、
着脱可能な音声情報記録媒体に記録された音声情報を再生する第２音声再生手段と、
前記第２音声再生手段に接続されると共に、前記第１接続手段と実質的に対向し、前記第１接続手段との間で実質的に電気的な接続がされる第２接続手段と、
上段の筐体との界面で前記充電池の端子と対応する位置に電力供給端子を備え、前記電力供給端子及び前記電力入力端子を介して前記充電池に充電する充電器と
を収納し、
前記上段の筐体は、前記第１音声再生手段および前記第２音声再生手段を操作するための操作部を備え、
前記第１音声再生手段は、前記第２音声再生手段が再生した音声情報を前記半導体記録媒体に記録する、
ことを特徴とする音響システム。
【請求項２】
前記上段の筐体は、上部が開口されており、該開口部から任意の物品を収納可能に構成される、
ことを特徴とする請求項１に記載の音響システム。
【請求項３】
前記上段の筐体は、前記操作部を前記開口部で脱着可能に収納する、
ことを特徴とする請求項２に記載の音響システム。
【請求項４】
前記上段の筐体は、該筐体を携帯可能に保持するための保持部をさらに備える、
ことを特徴とする請求項１乃至３のいずれか１項に記載の音響システム。
【請求項５】
前記保持部は長さ可変に構成されている、
ことを特徴とする請求項４に記載の音響システム。
【請求項６】
前記半導体記録媒体は、脱着可能に前記上段の筐体に収納される、
ことを特徴とする請求項１乃至５のいずれか１項に記載の音響システム。
【請求項７】
前記音響システムは、全体として角のない丸みを帯びた形状を呈する、
ことを特徴とする請求項１乃至６のいずれか１項に記載の音響システム。
【請求項８】
前記操作部は、前記第１音声再生手段と、前記第１出力手段と、前記半導体記録媒体と、を備える、
ことを特徴とする請求項１乃至７のいずれか１項に記載の音響システム。
【発明の詳細な説明】
【０００１】
【発明の属する技術分野】
本発明は、動作が制限される妊婦などが容易に携帯して使用可能な音響システムに関する。
【０００２】
【従来の技術】
従来、携帯して音楽を再生する音響機器として、いわゆるラジカセなどすべての機能を一体に構成したものを用いた場合、重量があるため身重の妊婦などが携帯して操作するには困難を伴う場合があった。
【０００３】
また、身重の妊婦が使用する場合を考慮すると、大きな身体の動作を必要とせずに操作できることが重要であるが、従来の音響機器の場合、電源供給時などに屈むなどの動作が必要な場合があり、動作の制限される妊婦などが使用するには使い勝手が悪かった。
【０００４】
【発明が解決しようとする課題】
本発明は、上記従来技術の問題点を解消するためになされたものであり、動作の制限される妊婦などが容易に携帯して使用できる音響システムを提供することを目的とする。
【０００５】
【課題を解決するための手段】
本発明にかかる音響システムは、
上下に分割可能な筐体を備え、
上段の筐体は、
音声情報を半導体記録媒体に記録するとともに、該半導体記録媒体に記録した音声情報を再生する第１音声再生手段と、
前記第１音声再生手段が再生した音声情報を出力する第１出力手段と、
前記第１音声再生手段に接続され、下段の筐体との間で実質的に電気的な接続がされる第１接続手段と、
前記第１音声再生手段、及び前記第１出力手段の駆動電力を供給すると共に、下段の筐体との界面に電力入力端子を備えた充電池と、
を収納し、
下段の筐体は、
着脱可能な音声情報記録媒体に記録された音声情報を再生する第２音声再生手段と、
前記第２音声再生手段に接続されると共に、前記第１接続手段と実質的に対向し、前記第１接続手段との間で実質的に電気的な接続がされる第２接続手段と、
上段の筐体との界面で前記充電池の端子と対応する位置に電力供給端子を備え、前記電力供給端子及び前記電力入力端子を介して前記充電池に充電する充電器と
を収納し、
前記上段の筐体は、前記第１音声再生手段および前記第２音声再生手段を操作するための操作部を備え、
前記第１音声再生手段は、前記第２音声再生手段が再生した音声情報を前記半導体記録媒体に記録する、
ことを特徴とする。
【０００６】
このような構成によれば、上下に分割可能な筐体のうち、上段の筐体に音声情報を再生・出力するのに必要な構成を収納したので、上段のみを携帯して音楽などを再生して楽しむことができる。
さらに、上段に収納された音声情報を記憶する媒体を、モータなどの駆動装置を必要としない半導体メモリから構成し、比較的重量のある充電器や、モータなどの駆動装置を必要とする例えばＣＤプレーヤやＭＤプレーヤを下段に収納できるので、上段を軽量化することができ、携帯時の負担を軽減することができる。
【０００７】
前記第１出力手段は、前記第１接続手段に接続され、前記第２、第１接続手段を介して前記第２音声再生手段が再生した音声情報を受け取って出力してもよい。
【０００８】
また、前記下段の筐体は、
複数の着脱可能な音声情報記録媒体を収納し、外部からの指示に従っていずれかの音声情報記録媒体を選択して前記第２音声再生手段に供給し、前記第２音声再生手段に再生させる媒体交換装置をさらに収納してもよい。
【０００９】
このような構成によれば、比較的重量のある例えばＣＤチェンジャを下段に収納できるので、上段の重量を増加させることなく、利用できる音声情報の幅を広げることができる。
【００１０】
前記下段の筐体は、さらに上下に複数分割可能に構成されてもよく、この場合、
分割された下段の筐体それぞれが、前記第２音声再生手段、前記充電器、及び前記媒体交換装置のいずれかを収納してもよい。
さらにこの場合、前記上段の筐体は、上下分割された複数の下段の筐体のうちのいずれか１つ以上を下部に保持可能に構成されていることが望ましい。
【００１１】
このような構成によれば、例えば、ＣＤプレーヤ、ＭＤプレーヤ、ＣＤチェンジャを個別の筐体で構成し、これらのいずれかを選択的に上段に接続して携帯できるので、携帯時の使用用途の幅を広げることができる。
【００１２】
前記下段の筐体は、前記第２音声再生手段が再生した音声情報を出力する第２出力手段をさらに収納してもよい。
【００１３】
このような構成によれば、上段を携帯して使用している場合でも、下段単独で、ＣＤプレーヤなどとして使用することができる。
【００１４】
前記上段の筐体は、該筐体を携帯可能に保持するための保持部をさらに備え手いることが望ましく、この場合、前記保持部は長さ可変に構成されていることがさらに望ましい。
【００１５】
このような構成によれば、上段に設けられたハンドルなどを把持できるので、上段を携帯しやすい。また、長さ可変に構成したハンドルなどを使用者の身長にあわせて調整することで、屈むことなくハンドルを把持して装置を持ち上げることができる。このため、動作が制限される妊婦などが使用しやすい。
【００１６】
前記上段の筐体は、上部が開口されており、該開口部から任意の物品を収納可能に構成されていてもよい。
【００１７】
例えば上段の筐体の内部に、筐体を籠状に形成するような空間を設けることで、上段の筐体を携帯する際、その内部に使用者が任意の物品を収納して一緒に携帯することができ、便利である。
また、この場合、前記上段の筐体は、前記第１音声再生手段および前記第２音声再生手段を操作するための操作部を脱着可能に収納することで、収納空間を利用しやすいものとすることができる。
また、前記操作部は、前記第１音声再生手段と、前記第１出力手段と、前記半導体記録媒体と、を備えていてもよい。
【００１８】
前記半導体記録媒体は、脱着可能に前記上段の筐体に収納されてもよい。
【００１９】
このような構成によれば、小型メモリカード（例えば、スマートメディア）などの媒体を音声情報記録媒体として使用することができるため、他の機器で記録させた音声情報を活用することができ、上段の重量を増加させることなく携帯時に利用できる音声情報の幅を広げることができる。
【００２０】
前記音響システムは、全体として角のない丸みを帯びた形状を呈することが望ましい。
【００２１】
このような構成によれば、動作の制限される妊婦などが扱う場合でも安全性が高い。
【００２２】
【発明の実施の形態】
本発明の実施の形態に係る音響装置を図面を参照して説明する。
【００２３】
（第１の実施の形態）
【００２４】
本発明の第１の実施の形態に係る音響装置を図面を参照して説明する。
本実施の形態に係る音響装置は、例えばスマートメディアなどの半導体記録媒体に記憶された音声情報を再生するものとし、例えばＭＰ３（ＭＰＥＧ−１  Ａｕｄｉｏ  Ｌａｙｅｒ  ３）方式で圧縮された音声情報を利用するものとする。
【００２５】
図１は本発明の第１の実施の形態に係る音響装置１０の外観を示す図であり、図１（ａ）は音響装置１０の正面図であり、図１（ｂ）は音響装置１０の上面図である。
【００２６】
図１（ａ）に示すように、音響装置１０は、再生装置１００とベース２００が着脱可能に構成されている。
再生装置１００は、全体として丸みを帯びた形状を呈するように形成されている。
【００２７】
また、音響装置１０は、再生装置１００がベース２００上に載置されたときに、音響装置１０の全高が少なくとも約３００ｍｍ以下となる大きさを有している。
【００２８】
図１（ａ），（ｂ）に示すように、再生装置１００は、再生した音声を外部に報音するスピーカ１０ａ，１０ｂと、操作パネル３０と、スマートメディアなどの半導体記録媒体が挿入される媒体スロット３００と、外部機器からの信号入力のための外部入力端子３５と、再生装置１００を携帯するためのハンドル４００と、から構成されている。
【００２９】
スピーカ１０ａは、再生装置１００の各側面に配置され、スピーカ１０ｂは再生装置１００の上面に複数配置されている。
【００３０】
操作パネル３０は、電源ボタン３０ａと、液晶表示装置などから構成された表示部３０ｂと、複数の操作ボタン３０ｃと、再生装置１００の動作モードを切り替えるためのモード切替ボタン３０ｄと、を備えている。
【００３１】
再生装置１００は、図４（ａ）にて示す充電池２５を内部に収納するとともに、媒体スロット３００に挿入される半導体記録媒体に記憶された音声情報を読み出すとともに、外部入力端子３５から入力される音声信号を半導体記録媒体に書き込む、図示しない読書装置、および読書装置の読書動作や再生装置１００の再生動作を制御する図示しない制御回路を収納している。
【００３２】
再生装置１００の下面には、後述するベース２００の電源端子２０ｂから供給される電力を受けるための一対の電源端子２０ａが配置されている。電源端子２０ａは、図４（ａ）に示すように再生装置１００内に収納された充電池２５にそれぞれ接続されている。
【００３３】
ベース２００は再生装置１００に電力を供給する電源部であり、ＡＣコード２から取得した交流電力を直流電力に整流する図示しない整流器を内部に収納している。ベース２００の上面には、再生装置１００をベース２００上に載置して接続した場合に、再生装置１００の下面に配置された一対の電源端子２０ａと接触するように一対の電源端子２０ｂが配置されている。一対の電源端子２０ｂはそれぞれ、整流器に接続され、整流された直流電力を電源端子２０ａを介して再生装置１００に供給する。
【００３４】
次に、本実施の形態の音響装置１０が使用される場合を図２を参照して説明する。
【００３５】
再生装置１００の充電池２５に充電する場合や、再生装置１００を据え置きで使用する場合は、ベース２００のＡＣコード２をコンセントに接続した状態で、再生装置１００をベース２００上に載置して使用する。
【００３６】
この状態では、再生装置１００の下面に配置された一対の電源端子２０ａと、ベース２００の上面に配置された一対の電源端子２０ｂとが接触するので、ＡＣコード２から取り込まれ、図示しない整流器で整流された直流電力が再生装置２００内の充電池２５に供給され、充電池２５の充電がおこなわれる。
【００３７】
この時に、操作パネル３０の操作ボタン３０ｃやモード切替ボタン３０ｄを操作することで後述する再生動作を指示した場合には、再生装置１００は、ベース２００から供給される電力で再生動作をおこなう。
【００３８】
次に、再生装置１００での音声再生動作を説明する。
まず、スマートメディアなどの図示しない半導体記録媒体を、再生装置１００の媒体スロット３００に挿入する。
ここで、挿入された半導体記録媒体に、すでに音声情報が記録されている場合は、操作パネル３０のモード切替ボタン３０ｄを操作することで、半導体記録媒体の再生動作を選択した後、操作ボタン３０ｃを操作することで再生動作を指示する。
【００３９】
操作ボタン３０ｃは、通常のＣＤ（Ｃｏｍｐａｃｔ  Ｄｉｓｃ）プレイヤー、ＭＤ（Ｍｉｎｉ  Ｄｉｓｋ）プレイヤー、ＭＰ３（ＭＰＥＧ−１  Ａｕｄｉｏ  Ｌａｙｅｒ  ３）プレイヤーなどの操作ボタンと同様であり、「再生ボタン」、「停止ボタン」、「曲送りボタン」、「録音ボタン」などから構成されている。
また、表示部３０ｂには、現在選択されている動作モードや、再生中の音楽の曲順などが表示される。
【００４０】
操作ボタン３０ｃの操作により入力された指示に従って、制御回路が読書装置を制御することで、媒体スロット３００に挿入された半導体記録媒体に記録された音声情報を読み出す。制御回路は読み出した音声情報を再生し、スピーカ１０ａ，１０ｂから報音する。
【００４１】
また、媒体スロット３００に挿入された半導体記録媒体に音声情報が記録されていない場合などは、再生装置１００が半導体記録媒体に音声情報を記録することもできる。
この場合、外部入力端子３５に、任意の外部音響装置、例えばＣＤプレーヤを接続し、モード切替ボタン３０ｄを操作することで外部録音動作を選択し、操作ボタン３０ｃの「録音ボタン」を操作することで録音動作を指示する。
【００４２】
制御回路は、入力された録音指示に従い、読書装置を制御して、外部入力端子３５から入力される音声信号を媒体スロット３００内の半導体記録媒体に書き込む。
【００４３】
このとき、制御回路は、外部入力端子３５から入力された音声信号を再生して、スピーカ１０ａ，１０ｂから報音してもよい。
【００４４】
次に、再生装置１００を携帯して使用する場合を説明する。
再生装置１００を携帯する場合は、使用者は再生装置１００のハンドル４００を保持して、再生装置１００を持ち上げることで、ベース２００との接続を切り離す。
ベース２００との切り離しにより、電源端子２０ａと電源端子２０ｂとの接触も離れるので、切り離し後の再生装置１００は、充電池２５から供給される電力によって動作する。
【００４５】
携帯使用時における再生動作は、上述した再生動作と同様である。
【００４６】
再生装置１００において、制御回路が再生した音声信号はスピーカ１０ａ，１０ｂから報音される。上述したように、スピーカ１０ａは再生装置１００の側面に配置され、スピーカ１０ｂは再生装置１００の上面に配置されている。
【００４７】
上記実施の形態によれば、比較的重量のある電源部を据え置き型のベースとし、再生装置をベースから着脱可能に構成したので、動作が制限される妊婦でも再生装置を容易に携帯することができる。
【００４８】
また、電源部が据え置き型のベースなので、再生装置を使用する毎に電源コードを抜き差しする必要がなく、動きが制限される妊婦でも扱いやすい。
【００４９】
さらに、音声情報をスマートメディアなどの半導体記録媒体に記録するように構成したので、モータなどの駆動装置が不要であり、再生装置を軽量に構成することができる。このため、動作の制限される妊婦などが携帯する場合でも負担にならない。
【００５０】
また、ベースに載置した再生装置の上面位置が、直立した人間の膝の高さとほぼ同様になるように構成したので、例えば床面に設置したベースから再生装置を持ち上げる場合でも、大きく屈む必要がなく、動きが制限される妊婦でも負担なく扱うことができる。
【００５１】
なお、音響装置１０の全高は、３００ｍｍ以下となるようにしていたが、例えば、床の上に直接置いて使用するような形態のものであれば、音響装置１０の全高が少なくとも約５００ｍｍ以上となるように、再生装置１００とベース２００を構成すると、再生装置１００の上面の高さは、直立した人間の膝の高さとほぼ同じとなる。そのため、直立した使用者は、大きく屈むことなくハンドル４００を把持することができる。
【００５２】
（第２の実施の形態）
上記第１の実施の形態では、媒体スロット３００に挿入された半導体記録媒体に記録する音声信号を、外部入力端子３５を介して接続された外部の音響機器から供給したが、このような音響機器をベース２００に組み込んでもよい。
この場合の実施の形態を以下に図面を参照して説明する。
【００５３】
図２は第２の実施の形態に係る音響システム１１を示す図であり、図示するように、音響システム１１は再生装置１１０とベース２１０と、から構成されている。
【００５４】
再生装置１１０の構成は第１の実施の形態で示した再生装置１００の構成とほぼ同様であり、後述するベース２１０の信号端子２１ｂを介して送られる音声信号を受信するための一対の信号端子２１ａを下面に備えている点が異なる。
【００５５】
ベース２１０は、第１の実施の形態で示したベース２００と同一のＡＣコード２と、図示しない整流器と、電源端子２０ｂを備えるとともに、ＭＤ（Ｍｉｎｉ  Ｄｉｓｋ）に記録された音声情報を再生するＭＤプレーヤ５００とＣＤ（Ｃｏｍｐａｃｔ  Ｄｉｓｃ）に記録された音声情報を再生するＣＤプレーヤ６００を備えており、図２にはＭＤプレーヤ５００にＭＤを挿入するためのＭＤスロット５０と、ＣＤプレーヤ６００にＣＤを挿入するためのＣＤトレイ６０が示されている。
【００５６】
ベース２１０はさらに、ＭＤプレーヤ５００とＣＤプレーヤ６００が再生した音声情報を示す再生信号を再生装置１１０に送信するための一対の信号端子２１ｂを、ベース２１０の上面、つまり電源端子２０ｂが配置された面と同一面に配置されている。
【００５７】
再生装置１１０は、第１の実施の形態と同様に、ベース２１０に脱着可能に構成されており、再生装置１１０の信号端子２１ａとベース２１０の信号端子２１ｂとは、再生装置１１０がベース２１０上に載置されたときに、互いに接するように配置されている。
【００５８】
ここでは、ベース２１０のＭＤプレーヤ５００とＣＤプレーヤ６００の操作は、再生装置１１０の操作パネル３０を用いておこなうものとする。
なお、ベース２１０がＭＤプレーヤ５００とＣＤプレーヤ６００の操作をおこなうための操作パネルを備えていてもよい。
【００５９】
本実施の形態の音響システム１１において、再生装置１１０内の充電池２５への充電動作は第１の実施の形態と同様である。
【００６０】
また、ＭＤプレーヤ５００及び／又はＣＤプレーヤ６００に記録された音声情報を媒体スロット３００に挿入された半導体記録媒体への記録は、モード切替ボタン３０ｄを操作することで録音ソースとなる媒体がＭＤスロット５０に挿入されるＭＤかＣＤトレイ６０に載置されるＣＤであるかを選択した後、操作ボタン３０ｃを操作することで録音を指示すればよい。
【００６１】
再生装置１１０を携帯する場合の動作は第１の実施の形態と同様である。
【００６２】
上記実施の形態によれば、比較的重量のあるモータなどの駆動装置を必要とするＭＤプレーヤやＣＤプレーヤを、同じく重量のある電源部とともに据え置き型のベースとし、再生装置をベースから着脱可能に構成したので、上記第１の実施の形態で得られる効果に加え、ＭＤやＣＤに記録された音声情報を再生装置で使用する半導体記録媒体に記録する場合に、他の音響装置を用意する必要がなく、簡単に音声情報の記録をおこなうことができる。
【００６３】
上記実施の形態では、ベース内に組み込まれる再生装置として、ＭＤプレーヤやＣＤプレーヤを例に示したが、例えば、複数のＣＤをまとめて装着し、装着された複数のＣＤから任意のＣＤを選択して再生するいわゆるＣＤチェンジャをベースに組み込んでもよい。
【００６４】
また、ベース内に、スピーカなどの出力装置を組み込むことで、ベース単体でプレーヤとして機能させてもよい。
【００６５】
（第３の実施の形態）
上記第２の実施の形態では、ＭＤプレーヤ５００およびＣＤプレーヤ６００をベース２１０内に組み込んだ音響システム１１を示したが、ＭＤプレーヤ５００およびＣＤプレーヤ６００それぞれを独立した装置として本発明に係る音響システムに組み込んでもよい。
この場合の実施の形態を図面を参照して説明する。
【００６６】
図３は本発明の第３の実施の形態に係る音響システム１２を示す図である。
図示するように、音響システム１２は、第２の実施の形態で示した再生装置１１０と、第１の実施の形態で示したベース２００と、ＭＤプレーヤ５１０と、ＣＤプレーヤ６１０と、から構成されている。
【００６７】
ＭＤプレーヤ５１０とＣＤプレーヤ６１０の機能は、第２の実施の形態に示したベース２１０内に収納されたＭＤプレーヤ５００およびＣＤプレーヤ６００と同じであるが、本実施の形態では、個別の筐体に収納され、それぞれが再生装置１１０およびベース２００と脱着可能に構成されている。
【００６８】
つまりＭＤプレーヤ５１０およびＣＤプレーヤ６１０それぞれの上面には、第２の実施の形態で示したベース２１０の上面の構造と同様に、一対の電源端子２０ｂおよび一対の信号端子２１ｂが配置されており、さらに各下面には、再生装置１１０の下面の構造と同様に、一対の電源端子２０ａおよび一対の信号端子２０ｂが配置されている。
【００６９】
さらに、各ＭＤプレーヤ５１０およびＣＤプレーヤ６１０の上面および下面には、互いを上下に脱着可能に固定するラッチなどの図示しない固定具が形成されている。
【００７０】
つまり、ＭＤプレーヤ５１０またはＣＤプレーヤ６１０の上面に再生装置１１０を載置して接続できるとともに、ベース２００の上面にＭＤプレーヤ５１０またはＣＤプレーヤ６１０を載置して接続することができる。
【００７１】
上記第３の実施の形態によれば、再生装置１１０を携帯する際に、再生装置１１０のみを携帯するだけでなく、再生装置１１０の下にＭＤプレーヤ５１０及び／又はＣＤプレーヤ６１０を接続して携帯することができるので、上記第１および第２の実施の形態で得られる効果に加えて、必要に応じてＭＤプレーヤ５１０及び／又はＣＤプレーヤ６１０を選択的に携帯することができる。
【００７２】
上記第３の実施の形態では、ＭＤプレーヤやＣＤプレーヤが個別の装置で構成される例を示したが、例えば、複数のＣＤをまとめて装着し、装着された複数のＣＤから任意のＣＤを選択して再生するいわゆるＣＤチェンジャ装置を構成してもよい。
【００７３】
また、各プレーヤにスピーカなどの出力装置を組み込むことで、再生装置が携帯された場合に、ベースに載置されたプレーヤを単独で使用してもよい。
【００７４】
（第４の実施の形態）
上記実施の形態では、軽量化のために駆動装置の不要な半導体記録媒体を用いているため、その大きさによっては、再生装置内には、大きな空間が形成されることになる。
この空間を、使用者が任意の物品を収納できる収納空間として利用した場合の実施の形態を以下に図面を参照して説明する。
【００７５】
図４は、上記実施の形態に示した再生装置１００または１１０内に形成される収納空間７００を説明するための図であり、図４（ａ）は再生装置１００の断面図、図４（ｂ）は再生装置１００の上面図である。
【００７６】
図４（ａ），（ｂ）に示すように、再生装置１００（１１０）のほぼ中央部に、再生装置１００（１１０）の上面を開口するように収納空間７００が形成されている。
収納空間７００が形成されることで、側壁部８００および底部９００が形成される。
【００７７】
収納空間７００の大きさは、側壁部８００および底部９００内に、再生装置１００（１１０）の再生機能に必要なスピーカ１０ａ，１０ｂ、充電池２５、媒体スロット３００、電源端子２０ａ（信号端子２１ｂ）、読書装置、および制御回路、又は外部入力端子３５が収納可能となる大きさであるものとする。
【００７８】
次に、収納空間７００を利用可能とする操作パネルの構成例を以下に示す。
【００７９】
図５は、収納空間７００を利用するための操作パネルの一例を示す図であり、図５（ａ）は操作パネルの外観示す図であり、図５（ｂ）は図５（ａ）に示す操作パネルを採用した再生装置１００（１１０）の上面図である。
【００８０】
図５（ａ）に示すように、カード状の薄型な操作パネル３１を構成し、操作パネルの一側面に媒体スロット３００及び／又は外部入力端子３５を配置する。
【００８１】
また、再生装置１００（１１０）の一側面に、操作パネル３１を挿抜可能とする開口部を設ける。そして、図５（ｂ）に示すように、操作パネル３１の一側面に設けた媒体スロット３００及び／又は外部入力端子３５が再生装置１００（１１０）の側面に設けた開口部を通じて露出し、かつ操作パネル３１の上面が収納空間７００の上端開口部から露出するように、操作パネル３１を再生装置１００（１１０）の側面に設けた開口部を通じて脱着可能に接続する。
【００８２】
このような構成により、収納空間７００を使用する場合に、操作パネル３１を摺動させることで、収納空間７００内部と外部空間とを連通させる。
【００８３】
さらに、操作パネル３１内に媒体スロット３００内の半導体記録媒体に記録された音声情報を読み出して再生する再生部と、この再生部を含んだ操作パネル３１を駆動するための電池と、再生部が再生した音声情報を例えばヘッドフォンに出力する出力端子とを備えることで、操作パネル３１を再生装置１００（１１０）から取り外した場合に、単独の小型ＭＰ３プレーヤとして用いてもよい。
【００８４】
次に、収納空間７００を利用可能とする操作パネルの構成の他の例を以下に説明する。
【００８５】
図６は、収納空間７００を利用するための操作パネルの他の一例を示す図であり、図６（ａ）は操作パネルの外観を示す図であり、図６（ｂ）は図６（ａ）に示す操作パネルを採用した場合の再生装置１００（１１０）の正面図である。
【００８６】
図６（ａ）に示すように、操作パネル３２は、例えば全体に丸みを帯びた形状を呈しており、図１（ｂ）に示した操作パネル３０と同様の構成、つまり、電源ボタン３２ａと、表示部３２ｂと、操作ボタン３２ｃと、モード切替ボタン３２ｄと、から構成されている。この操作パネル３２は再生装置１００（１１０）と別体に構成されるが、図６（ｂ）に示すように、再生装置１００（１１０）の側面などに脱着可能に取り付けられるものとする。
【００８７】
この操作パネル３２は、電源ボタン３２ａ、操作ボタン３２ｃ、およびモード切替ボタン３２ｄの操作に対応する信号を再生装置１００（１１０）に送信する図示しない送信装置を備え、再生装置１００（１１０）は、操作パネル３２の送信装置から送信される信号を受信する図示しない受信装置を備える。つまり、操作パネル３２を用いて再生装置１００（１１０）を遠隔操作できるように構成する。
【００８８】
この送信装置および受信装置を、赤外線通信（例えば、ＩｒＤＡ）または無線通信（例えば、Ｂｌｕｅｔｏｏｔｈ）に対応した通信装置とすることで、操作パネル３２をワイヤレス装置として構成することが望ましい。また、操作パネル３２は、例えば使用者の衣服にクリップなどで留めたり、バンドなどで使用者の腕部に装着するのに適した大きさ及び重量であることが望ましい。
【００８９】
このように構成することにより、収納空間７００の上端開口部が常時開口しているので、収納空間７００を利用しやすい。
また、操作パネル３２を上述のようにワイヤレス装置として構成することにより、操作時に再生装置１００（１１０）全体を身体に近づけるなどの動作をしなくてもよい。このため、動きが制限される妊婦が使用する場合に好適である。
【００９０】
上記第４の実施の形態によれば、再生装置１００（１１０）内に、任意の物品を収納可能な収納空間７００が形成されるので、上記第１から第３の実施の形態で得られる効果に加え、再生装置１００（１１０）を例えば買い物かごなどとしても利用することができる。
【００９１】
上記実施の形態で示したハンドルを、長さ可変に構成してもよい。これにより、使用者の身長にあわせてハンドルの長さを調整させることで、ハンドルを把持しやすいように調整できる。
【００９２】
上記実施の形態では、例えば、再生装置１１０とベース２１０との間は、信号端子２１ａ、２１ｂで接続されるものとしていたが、データの通信速度を制御することができる２組の通信インターフェースで接続されるものとしてもよい。このような２組の通信インタフェースは、物理的に互いに接触していてもよいが、物理的な接触がなく、ワイヤレスでデータの授受を行うものであってもよい。この場合でも、両者を実質的に対向させて配置させることにより、ワイヤレスで送受信されるデータによって、両者の間が実質的に電気的に接続されるものとなる。
【００９３】
【発明の効果】
以上説明したように、本発明によれば、動作が制限される妊婦などでも負担なく携帯して使用できる音響装置を実現できる。
【図面の簡単な説明】
【図１】本発明の第１の実施の形態に係る音響装置を示す図であり、（ａ）は正面図、（ｂ）は上面図である。
【図２】本発明の第２の実施の形態に係る音響装置を示す正面図である。
【図３】本発明の第３の実施の形態に係る音響装置を示す正面図である。
【図４】本発明の第４の実施の形態に係る再生装置を説明するための図であり、（ａ）は再生装置の断面図であり、（ｂ）は再生装置の上面図である。
【図５】本発明の第４の実施の形態に係る再生装置に採用される操作パネルの構成例を示す図であり、（ａ）は操作パネルの外観を示す図であり、（ｂ）は（ａ）に示す操作パネルを採用した再生装置の上面図である。
【図６】本発明の第４の実施の形態に係る再生装置に採用される操作パネルの他の構成例を示す図であり、（ａ）は操作パネルの外観を示す図であり、（ｂ）は（ａ）に示す操作パネルを採用した再生装置の正面図である。
【符号の説明】
１００，１１０  再生装置
２００，２１０  ベース
【図１】
0003584395.tif 000002
【図２】
0003584395.tif 000003
【図３】
0003584395.tif 000004
【図４】
0003584395.tif 000005
【図５】
0003584395.tif 000006
【図６】
0003584395.tif 000007